(57)【要約】【課題】使用に際し、水又は空気量を調整することにより、好みの微妙な高さや固さの調整ができ、頭部だけでなく、頸部のフィット感も良好に保つことができ、更に夏期暑い時又発熱時等には水枕として、使用者に快適な寝心地を与えると共に、使用者が容易に取り扱うことができる枕を提供すること。【解決手段】枕本体１０を構成する柔軟素材の密封袋体１１の内部を、柔軟素材の多数の仕切り体１２にて区画して多数の小室１３を形成すると共に、各小室１３間は、連通路１４を介して互いに連通可能とし、しかも、各小室１３中には、小室１３幅員よりはやや小さい径を有する空気ボール複数個収納すると共に、密封袋体の内部全体に径が約１〜１０ｍｍの粒子体３０を密封袋体１１の形を保形しうる量で充填し、各粒子体３０は、連通路１４を介して小室１３間を流通可能に構成した。【選択図】図１
2010119415.tif 000002
【特許請求の範囲】
【請求項１】
枕本体を構成する柔軟素材の密封袋体の内部を、柔軟素材の多数の仕切り体にて区画して多数の小室を形成すると共に、
各小室間は、連通路を介して互いに連通可能とし、しかも、各小室中には、小室幅員よりはやや小さい径を有する空気ボール複数個収納すると共に、
密封袋体の内部全体に径が約１〜１０ｍｍの粒子体を密封袋体の形を保形しうる量で充填し、各粒子体は、連通路を介して小室間を流通可能に構成してなる枕。
【請求項２】
密封袋体の内部には、水又は空気を注入及び排水可能として水枕、空気枕及び通常枕としても使用可能に構成したことを特徴とする請求項１に記載の枕。
【請求項３】
粒子体は、発泡スチロールで形成されていることを特徴とする請求項１又は２に記載の枕。
【請求項４】
仕切り体は、密封袋体の上側壁と下側壁との間に架設した一定高さの壁体にて構成したことを特徴とする請求項１又は２又は３に記載の枕。
【請求項５】
連通路は、仕切り体の両端を切欠して形成したことを特徴とする請求項１〜４いずれか一項に記載の枕。
【発明の詳細な説明】
【技術分野】
【０００１】
本発明は、枕に関する。特に、使用者の頭を載せる部材の内部に空気ボールや粒子体等の収容物を充填した上に液体又は気体を充填する枕に関するものである。
【背景技術】
【０００２】
従来より、内部に水等の液体や空気等の気体を充填した密閉袋体によって構成された枕が広く知られている。
【０００３】
この種の枕は、使用者の頭の形状に合わせて変形するので、使用時のフィット感が良いという利点や、内部に冷水を充填しておくことによって、気温が高い夏場や発熱時において快適に就寝することができるという利点などがある。
【０００４】
しかし、この種の枕では、一般に液体などを充填した袋体が一つの袋体により構成されていたため、頭を左右に移動した際、内部の液体などが頭を移動した側とは逆側に急速に移動して、頭の安定性が悪くなるという問題があった。
【０００５】
かかる問題を解決する枕として、液体を充填した縦長の筒状容器を複数並列して横方向に並べ、これらの容器のうち、左右両端に配設する容器の高さを、中央に配設する容器の高さよりも高くして、頭の安定性を向上させた枕が考案されている（たとえば、特許文献１参照。）。
【特許文献１】特開２００２−１５９３８８号公報
【発明の開示】
【発明が解決しようとする課題】
【０００６】
ところが、上記従来の枕は、頭の安定性は向上するものの、個々人の好みの微妙な高さや固さ、就寝時における頭部と頸部との位置関係や枕の変形、密封袋体に充填する収容物については、考慮されていなかったため、頸部におけるフィット感や枕自体の取り扱い易さについて改良の余地が残されていた。
【０００７】
本発明は、使用に際し、水又は空気量を調整することにより、好みの微妙な高さや固さの調整ができ、頭部だけでなく、頸部のフィット感も良好に保つことができ、更に夏期暑い時又発熱時等には水枕として、使用者に快適な寝心地を与えると共に、使用者が容易に取り扱うことができる枕を提供することを目的とする。
【課題を解決するための手段】
【０００８】
そこで、請求項１に係る本発明では、枕本体を構成する柔軟素材の密封袋体の内部を、柔軟素材の多数の仕切り体にて区画して多数の小室を形成すると共に、各小室間は、連通路を介して互いに連通可能とし、しかも、各小室中には、小室幅員よりはやや小さい径を有する空気ボール複数個収納すると共に、密封袋体の内部全体に径が約１〜１０ｍｍの粒子体を密封袋体の形を保形しうる量で充填し、各粒子体は、連通路を介して小室間を流通可能に構成してなることを特徴とする。
【０００９】
また、請求項２に係る本発明では、請求項１に記載の枕において、密封袋体の内部には、水又は空気を注入及び排水可能として水枕、空気枕及び通常枕としても使用可能に構成したことを特徴とする。
【００１０】
また、請求項３に係る本発明では、請求項１又は２に記載の枕において、粒子体は、発泡スチロールで形成されていることを特徴とする。
【００１１】
また、請求項４に係る本発明では、請求項１又は２又は３に記載の枕において、仕切り体は、密封袋体の上側壁と下側壁との間に架設した一定高さの壁体にて構成したことを特徴とする。
【００１２】
また、請求項５に係る本発明では、請求項１〜４いずれか一項に記載の枕において、連通路は、仕切り体の両端を切欠して形成したことを特徴とする。
【発明の効果】
【００１３】
請求項１記載の本発明によれば、枕本体を構成する柔軟素材の密封袋体の内部を、柔軟素材の多数の仕切り体にて区画して多数の小室を形成すると共に、各小室間は、連通路を介して互いに連通可能とし、しかも、各小室中には、小室幅員よりはやや小さい径を有する空気ボール複数個収納すると共に、密封袋体の内部全体に径が約１〜１０ｍｍの粒子体を密封袋体の形を保形しうる量で充填し、各粒子体は、連通路を介して小室間を流通可能に構成したので、使用時に、頭部だけでなく、頸部のフィット感も良好に保つことができるので使用者に快適な寝心地を与えると共に、収容された空気ボールや粒子体が軽量であることから、使用者は、枕を容易に取り扱うことができる。
【００１４】
請求項２記載の本発明によれば、請求項１に記載の枕において、密封袋体の内部には、水又は空気を注入及び排水可能として水枕、空気枕及び通常枕としても使用可能に構成したことから、気温が高い夏場や発熱時等の暑さで寝苦しい場合においても、快適に就寝することができる。また、空気ボールや粒子体が収容されていることから、充填する水量を少なくすることができるので、枕自体が軽量となり、使用者が枕を容易に取り扱うことができる。更に、空気ボールや粒子体は、枕本体に注入された水に浮くことから、枕本体の密封袋体の内表面近傍に浮遊する。このような状態となることによって、使用者の頭部及び頸部と枕との接触面で、密封袋体に充填された水との間に、空気ボールや粒子体の層である温度緩衝帯が形成されることとなる。その結果、従来の水のみ充填された水枕とは異なり、水枕の水温を頭部、頸部の接触面で直接感じることがなくなり、使用者は、枕を程良い最適な温度で清涼感のある水枕とすることができ、快適な寝心地を得ることができる。また、枕本体に空気を注入した場合は、水注入時と同様、好みの高さや固さの調整が容易で使用中の枕の形状も保持可能であるので、頭部、頸部のフィット感が良好で快適な寝心地を得ることができる。また、枕本体をやや柔らか目に空気を注入すると空気枕の特長を保持しながら通常枕の感触を得ることができる。
【００１５】
請求項３記載の本発明によれば、請求項１又は２に記載の枕において、粒子体は、発泡スチロールで形成されていることから、断熱性が高く、保冷効果が持続しやすい。更には、軽量で流動しやすいことから、空気ボールを支持し、枕自体の形状を保持しやすくするだけでなく、頭部及び頸部のフィット感をより向上することができる。また、枕を軽量化できるので、使用者が枕を容易に取り扱うことができる。
【００１６】
請求項４記載の本発明によれば、請求項１又は２又は３に記載の枕において、仕切り体は、密封袋体の上側壁と下側壁との間に架設した一定高さの壁体にて構成したことから、収容した空気ボールや粒子体を均等に収容することができるので、枕自体の形状を保持しやすくすることができる。更には、壁体は、頭部と頸部との位置関係が考慮された一定高さを有することから、使用時は常に、頭部だけでなく、頸部のフィット感も良好に保つことができる。
【００１７】
請求項５記載の本発明によれば、請求項１〜４いずれか一項に記載の枕において、連通路は、仕切り体の両端を切欠して形成したことから、収容された粒子体が流動しやすくなり、その結果、頭部のフィット感がより向上するだけでなく、適宜空気ボールを支持することができ、枕自体の形状を保持することができる。
【発明を実施するための最良の形態】
【００１８】
以下、本発明の一実施形態について、図面を参照しながら具体的に説明する。図１は、本実施形態に係る枕本体を示す平面視による説明図であり、図２は、図１のＩ−Ｉ線における断面視による説明図であり、図３は、図２のＩＩ−ＩＩ線における断面視による説明図であり、図４は、本実施形態に係る枕の部分断面を示す平面視による説明図であり、図５は、図４のＩＩＩ−ＩＩＩ線における断面視による説明図であり、図６は、本実施形態に係る枕を構成する台エアマットを示す説明図であり、図７は、本実施形態に係る水枕の断面視による説明図であり、図８は、図７のＩＶ−ＩＶ線における断面視による説明図である。
【００１９】
本実施形態に係る枕１は、図１から図３に示すように、枕本体１０を構成する柔軟素材で形成された平型袋状の密封袋体１１からなり、密封袋体１１の内部は、柔軟素材の多数の略長方形の仕切り体１２にて区画された多数の略四角柱状の小室１３が形成されている。
【００２０】
更に、各小室１３間は、断面視略半円状の連通路１４及び小孔を介して互いに連通可能としており、しかも、各小室１３中には、小室１３幅員よりはやや小さい径を有する空気ボール２０が複数個収納されている。
【００２１】
また、密封袋体１１の内部全体、すなわち各小室１３や連通路１４や小孔には、径が約１〜１０ｍｍの略球状の粒子体３０が、密封袋体１１の形を保形しうる量で充填され、各粒子体３０は、連通路１４や小孔を介して小室１３間を流通可能に構成されている。
【００２２】
また、枕１は、図４から図６に示すように、使用者Ｕの頭部や頸部のフィット感を調整するために、後述する略長方形の板状の台板４０や、柔軟素材の可撓性を有する樹脂フィルム（例えば、塩化ビニルなど）により形成され、内部に所定量の気体（ここでは、空気）を充填した複数本（小５本、中１本、大１本）横長袋体を有する台エアマット５０が合わせて適宜使用されることによって構成されるものである。なお、本実施形態では、枕１の平面視における寸法の一例として、横方向の長さを５００〜６５０ｍｍ、縦方向の長さを３００〜４００ｍｍのものを想定している。
【００２３】
ここで、本実施形態の枕１を構成する各部材について、より具体的に説明する。
【００２４】
枕本体１０を構成する密封袋体１１は、図１から図３に示すように、例えば、柔軟素材の塩化ビニルなどの可撓性を有する樹脂フィルムにより形成され、内部に所定量の気体（ここでは、空気）をバルブ１１ａから充填するように構成されている。
【００２５】
なお、バルブ１１ａからは、密封袋体１１内部に所定量の気体（ここでは、空気）を充填して枕本体１０として使用するが、気体の代わりに水を充填して水枕として使用しても構わない。
【００２６】
また、密封袋体１１の内部に所定量の気体（ここでは、空気）や、水を注入することなく、柔らかめに気体（ここでは、空気）を注入して、そのまま、通常枕として使用しても構わない。
【００２７】
また、密封袋体１１の形状は、平型袋状であり、その内部は、多数の仕切り体１２により区画されることによって、多数の略四角柱状の小室１３が形成されている。
【００２８】
仕切り体１２は、密封袋体１１と同一の材料、例えば、柔軟素材の塩化ビニルなどの可撓性を有する樹脂フィルムにより形成され、図３に示すように、密封袋体１１の上側壁１１ｂと下側壁１１ｃとの間に架設した一定高さを有する断面視略長方形状の壁体１２ａにより形成されている。
【００２９】
なお、壁体１２ａは、密封袋体１１の上側壁１１ｂと下側壁１１ｃとに一体的に形成されている。
【００３０】
小室１３は、前述のように、壁体１２ａで区画されることによって密封袋体１１の内部に形成される略四角柱状の空間であり、その空間において、後述する空気ボール２０や粒子体３０が収納されることによって、枕本体１０の形状を保持するものである。
【００３１】
次に連通路１４について説明する。連通路１４は、図３に示すように、密封袋体１１内部に形成された多数の小室１３を各粒子体３０が自在に行き来できるようにするための断面視略半円状の空間である。なお、連通路１４は、前述の仕切り体１２を形成する壁体１２ａの両端を切欠して形成した切欠孔によって構成している。
【００３２】
なお、連通路１４とは別に、密封袋体１１の内部に充填した気体又は水や粒子体３０がより流動的に移動できるように、空気ボール２０の径よりも小さな径の孔を壁体１２ａに連通路１４として形成しても構わない。
【００３３】
つまり、連通路１４としても機能する小孔（図示しない）は、径が約１０〜２０ｍｍの仕切り体１２を構成する壁体１２ａの２〜３ヶ所に形成された孔部であり、各粒子体３０が小孔を通過し各小室１３間を自在に行き来することができる。
【００３４】
空気ボール２０は、小室１３の幅員よりはやや小さい径、例えば径が約２０〜３０ｍｍを有する略球状の球体であり、各小室１３に複数個（ここでは、６個ずつ）収納されている。
【００３５】
粒子体３０は、径が約１〜１０ｍｍの略球状であり、密封袋体１１の内部全体にわたって、密封袋体１１の形を保形しうる量で充填されている。また、各粒子体３０は、連通路１４や小孔（図示しない）を介して小室１３間を自在に流通することができる。
【００３６】
なお、粒子体３０は、その材質が発泡スチロールで形成されても構わない。
【００３７】
枕１は、前述のように、枕本体１０の他に、使用者Ｕの頭部や頸部のフィット感や枕１の高さを調整するために台板４０や台エアマット５０を適宜選択して使用される。つまり、枕１は、各特長を有する、密封袋体１１に水を注入した水枕、空気を注入した空気枕、柔らかめに気体（ここでは、空気）を注入した通常枕の３種類の枕本体１０に台板４０や台エアマット５０を適宜選択し、組み合わせることによって、使用者Ｕの好みに応じた頭部や頸部のフィット感、高さを有する構造とすることができる。
【００３８】
そこで、台板４０と台エアマット５０について図面を用いて説明する。
【００３９】
まず、台板４０について説明する。台板４０は、図４と図５に示すように、その形状が、略長方形の板状であり、使用者Ｕの頭部や頸部のフィット感を調整するために使用するものである。使用者Ｕが枕１の高さを、低くしたい時には台板４０を外し、高くしたい時には台板４０を後述する台エアマット５０の下方に設置することとなる。
【００４０】
次に、台エアマット５０について説明する。台エアマット５０は、図６（ａ）に示すように、柔軟素材の可撓性を有する樹脂フィルム（例えば、塩化ビニルなど）により円柱形の袋状に形成され、その内部に所定量の気体（ここでは、空気）を充填した複数本（ここでは、小５本、中１本、大１本）の横長袋体を有する構成となっており、各横長袋体が接合され連結し一体となりマット状形成されている。
【００４１】
つまり、５本の横長小袋体５１と１本の横長中袋体５２と１本の横長大袋体５３とによりマット状に形成されている。このように大きさの異なる横長小袋体５１と横長中袋体５２と横長大袋体５３とを、高低差が形成されるように各横長袋体が接合され連結し一体となりマット状とした構造を有する。
【００４２】
台エアマット５０が、前述のような構造を有することにより、横長小袋体５１、横長中袋体５２、横長大袋体５３内の空気量を調整することにより、枕本体１０の高さを調節し、枕１は、通常の仰向け寝（上向き寝）や、横臥（横向き寝）に対応できる構造を有するといえる。
【００４３】
横長小袋体５１は、複数のうちの一に気体を注入又は排出するために、小気体バルブ５１ａが横長小袋体５１先端部に形成されている。
【００４４】
また、５本の横長小袋体５１は、図６（ｂ）に示すように、各袋体内部の両端において、内部に充填された気体が自在に行き来できるための気体連通路５１ｂを介して連通しており、各袋体外部において、袋体を形成するフィルムの長手方向の側面同士が接合され連結し一体構造となっている。
【００４５】
従って、前述の一の小気体バルブ５１ａより気体を注入することにより、５本の横長小袋体５１は、同時に膨張するようになっている。
【００４６】
横長中袋体５２は、その先端部に気体を注入又は排出するための中気体バルブ５２ａが形成されている。従って、横長中袋体５２は、気体を注入又は排出することによって、単独で膨張又は収縮するように形成されている。
【００４７】
横長大袋体５３は、その先端部に気体を注入又は排出するための大気体バルブ５３ａが形成されている。従って、横長大袋体５３は、気体を注入又は排出することによって、単独で膨張又は収縮するように形成されている。
【００４８】
以上のように形成された横長小袋体５１と横長中袋体５２と横長大袋体５３とは、袋体を形成するフィルムの長手方向の側面同士が接合され、連結し、一体構造の台エアマット５０を構成している。
【００４９】
枕カバー６０は、枕本体１０全体を被包するように、略長方形の袋状に形成され、その材質が繊維素材（例えば、綿など）によって形成される。
【００５０】
本実施形態に係る枕１において、以下に、その使用方法及び使用形態について具体的に説明する。
【００５１】
使用者Ｕは、枕本体１０を構成する密封袋体１１のバルブ１１ａより気体（ここでは、空気）を充填することより、密封袋体１１を膨張させ、膨張した枕本体１０を枕カバー６０に挿入し使用するものである。
【００５２】
なお、枕カバー６０に事前に枕本体１０を挿入した後に枕本体１０を構成する密封袋体１１に気体を充填して、枕本体１０を膨張させても構わない。
【００５３】
使用者Ｕは、密封袋体１１に充填する気体の量を調整することにより、頭部や頸部のフィット感、また枕１の高さを適宜選択することができ、使用時に、頭部だけでなく、頸部のフィット感も良好に保つことができるので、快適な寝心地を得ることができる。
【００５４】
また、仕切り体１２を構成する壁体１２ａは、使用者Ｕの頭部と頸部との位置関係が考慮された一定高さを有することから、使用時は常に、頭部だけでなく、頸部のフィット感も良好に保つことができる。
【００５５】
気体が充填された密封袋体１１内において、仕切り体１２を構成する壁体１２ａによって形成された空間である小室１３は、密封袋体１１に既に収容されている空気ボール２０や粒子体３０を均等に収容することができるので、枕１自体の形状を保持しやすくすることができる。
【００５６】
また、仕切り体１２により密封袋体１１の内部に形成された小室１３が空気ボール２０や粒子体３０を収納することで、使用者Ｕは、快適な頭部や頸部のフィット感を得ることができる。
【００５７】
つまり、使用者Ｕは、密封袋体１１には充填された適量な気体だけでなく、空気ボール２０や粒子体３０が収納されることで、気体や空気ボール２０や粒子体３０のそれぞれ固有の感触による相乗効果により、快適な頭部のフィット感を得ることができる。適当な気体量とは、枕本体１０が柔らかい程度のふくらみ、すなわち頭の重量で密封袋体１１内に収容されている粒子体３０を感触する程度の空気量をいう。
【００５８】
連通路１４が密封袋体１１内部に形成されていることにより、多数の小室１３を各粒子体３０が自在に行き来できるので、使用者Ｕは、頭部だけでなく、頸部のフィット感も良好に保つことができるので、快適な寝心地を得ることができる。
【００５９】
更に、空気ボール２０や粒子体３０の大きさ、形状、固さ具合、そして空気ボール２０と、空気ボール２０より小さな径を有する粒子体３０との組み合わせにより指圧されているような指圧効果や催眠効果も得ることができる。
【００６０】
空気ボール２０の形状を、例えば約２０〜７０ｍｍの径を有する球状とすることにより、使用者Ｕが枕１を使用する際に、一の小室１３内の複数個（ここでは、６個）の空気ボール２０が一の小室１３内を移動し、全体として、各小室１３内の空気ボール２０の移動により、使用者Ｕは、快適な頭部や頸部のフィット感や指圧効果や催眠効果を得ることができる。
【００６１】
特に、空気ボール２０の形状を、例えば約６０ｍｍの径を有する球状とすることにより、使用者Ｕが枕１を使用する際に、各空気ボール２０は、互いに位置関係の調和がとれ、一の小室１３内の複数個（ここでは、６個）空気ボール２０が一の小室１３内を移動する。その結果、全体として、各空気ボール２０が使用者Ｕの頭部に合わせて最適に移動することとなり、使用者Ｕは、より快適な頭部のフィット感や指圧効果や催眠効果を得ることができる。
【００６２】
また、粒子体３０の形状を、例えば約５〜７ｍｍの径を有する球状とすることにより、使用者Ｕが枕１を使用する際に、各粒子体３０が収容された密封袋体１１の小室１３内、また連通路１４を介して各小室１３間を移動することにより、使用者Ｕは、快適な頭部や頸部のフィット感や指圧効果や催眠効果を得ることができる。
【００６３】
特に、粒子体３０の形状を、例えば約６ｍｍの径を有する球状とすることにより、使用者Ｕが枕１を使用する際に、各粒子体３０が小室１３や連通路１４や空気ボール２０に占められた空間を除く空間を円滑に移動する。その結果、各粒子体３０が収容された密封袋体１１の小室１３内、また連通路１４を介して各小室１３間を使用者Ｕの頭部に合わせて最適に移動することとなり、使用者Ｕは、より快適な頭部のフィット感や指圧効果や催眠効果を得ることができる。
【００６４】
密封袋体１１のバルブ１１ａより、気体の代わりに水を充填して、図７や図８に示すように、枕１を通常枕としてだけではなく、水枕として使用することにより、気温が高い夏場や発熱時等の暑さで寝苦しい場合において、より快適に就寝することができる。
【００６５】
前述のように、枕１を水枕として使用する際にも、密封袋体１１の小室１３に収納された空気ボール２０や粒子体３０の効果があらわれる。
【００６６】
すなわち、空気ボール２０や粒子体３０が小室１３に収容されていることから、密封袋体１１内部に充填する水量を少なくすることができるので、水枕として使用する枕１自体の重量が軽量となる。その結果、使用者Ｕは、毎日使用する寝具としての枕１を容易に取り扱うことができる。
【００６７】
つまり、使用者Ｕは、密封袋体１１に収納する空気ボール２０や粒子体３０の数量や水量を調整する（混合比を考慮する）ことにより、従来の水のみ充填された水枕とは異なり、枕１の重量を調整することができる。
【００６８】
また、枕１使用時における使用者Ｕの頭の重量により、密封袋体１１内部に収容された空気ボール２０や粒子体３０が小室１３などを移動することにより、密封袋体１１内部に充填された水に水流が発生し、使用者Ｕの頭部によって暖められた水が拡散することにより、水のみ充填された水枕と比べ、清涼感を得ることができる。
【００６９】
また、密封袋体１１に充填された粒子体３０や水は、小室１３内だけでなく、連通路１４を介して他の各小室１３間を移動することができ、密封袋体１１内部に充填された水に様々な方向の水流が発生し、使用者Ｕの頭部によって暖められた水が拡散することにより、水のみ充填された水枕と比べ、より清涼感を得ることができる。
【００７０】
密封袋体１１が、前述のように、仕切り体１２によって複数の小室１３に分かれており、この仕切り体１２が存在することから、密封袋体１１に充填された粒子体３０や水が、連通路１４又は小孔を介してしか隣接する小室１３内に移動することができない。
【００７１】
このことに加え、小室１３には空気ボール２０が収納されていることから、使用者Ｕは、睡眠中に頭部を左右に動かしたとしても、枕本体１０の形状が急激に変形することがなく、安定した寝姿勢を保つことができ、快適な寝心地を得ることができる。
【００７２】
更に、水のみ充填された水枕とは異なり、水の流動感に加え、空気ボール２０や粒子体３０の弾性による感触により、使用者Ｕは、頭部や頸部の快適なフィット感も良好に保つことができるので、快適な寝心地を得ることができる上に、指圧効果や催眠効果を得ることもできる。
【００７３】
また、使用者Ｕが枕１を水枕として使用する際に、粒子体３０の材質を発泡スチロール等の含気体材料で形成する場合、粒子体３０は、密封袋体１１に充填された水によって、密封袋体１１の上側壁１１ｂ側に浮上する。その結果、使用者Ｕは、水枕の効果を享受しつつ、適度な固さの枕１とすることができ、頭部や頸部のフィット感を良好に保つことができるので、快適な寝心地を得ることができる上に、指圧効果や催眠効果を得ることもできる。
【００７４】
使用者Ｕは、前述のように、密封袋体１１に収納する空気ボール２０や粒子体３０の数量や水量を調整する（混合比を考慮する）ことにより、枕１の温度感を調整することができる。
【００７５】
すなわち、使用者Ｕは、まず空気ボール２０や粒子体３０の収容された密封袋体１１に水の量を調整し充填することにより、枕本体１０の下半部に水が貯留して、空気ボール２０や粒子体３０が浮遊した状態となる。
【００７６】
このような状態とすることによって、図７や図８に示すように、使用者Ｕの頭部及び頸部と枕１との接触面で、密封袋体１１に充填された水との間に、枕本体１０の上部の内表面近傍に形成された空気ボール２０や粒子体３０の層である温度緩衝帯が形成されることとなる。
【００７７】
このことから、従来の水のみ充填された水枕とは異なり、水枕の水温を直接に使用者Ｕが感じることがなくなり、その結果、使用者Ｕは、枕１を程良い最適な温度で清涼感のある水枕とすることができ、快適な寝心地を得ることができる。
【００７８】
更に、前述のように、枕本体１０の下部に水が貯留していることから、枕本体１０は水の流動性により適度な弾力を有し、また、空気ボール２０や粒子体３０の有する弾力との相乗効果により、使用者Ｕは、枕１を適度な弾力性を有する水枕とすることができ、快適な寝心地を得ることができる。
【００７９】
発明者は、本願発明の枕を開発するにあたり、特に水枕として使用した場合、従来の水枕と、本願発明の通常枕に水を注入した水枕との違いについて検討した。以下、表１に従来の水枕と本願発明の水枕との対比について示す。
【表１】
2010119415.tif 000003
【００８０】
枕１は、その構成要素である台板４０や台エアマット５０を組み合わせて使用されることにより、使用者Ｕは、より効果的に枕１を利用することができる。
【００８１】
すなわち、使用者Ｕは、台板４０や台エアマット５０を用いることにより、自身の体格に適した高さとフィット感とを有する枕１とすることができ、快適な寝心地を得ることができる。
【００８２】
枕１は、枕本体１０と台板４０と台エアマット５０とにより構成されることにより、使用者Ｕの頭部から頸部、肩（首の付け根）にかけてのフィット感や、使用中における頭部の安定感に加え、使用者Ｕによってそれぞれ異なる枕の好みの高さについても考慮した構造といえる。
【００８３】
つまり、枕１は、使用者Ｕが異なれば、その使用者Ｕごとに、それぞれ異なる枕の好みの固さ、高さに対応できる構造といえる。
【００８４】
また、使用者Ｕによっては、寝姿勢として通常の仰向け寝（上向き寝）よりも、横臥（横向き寝）を好む人もいる。したがって、横向き寝をする場合には、上向き寝をする場合よりも高い枕が必要となる。なお、この横向き寝は、近年、いびき防止や睡眠時無呼吸症候群に対して効果があることも実証されている。
【００８５】
枕１の高さやフィット感を調整する際には、例えば、横長小袋体５１と横長中袋体５２と横長大袋体５３とに所定量を満たす気体を注入し、台エアマット５０の横長中袋体５２側又は横長大袋体５３側を使用者Ｕの首側に向けて枕１を使用することにより、頸部の高さが調節でき、頭と頸の良姿位を保ち、快適な寝心地を得ることができる。
【００８６】
また、例えば、横長小袋体５１と横長中袋体５２と横長大袋体５３とに所定量を満たす気体を注入し、台エアマット５０の横長大袋体５３側を使用者Ｕの首側に向けて枕１を使用することにより、上向き寝をする場合よりも高い枕１となり、使用者Ｕは、寝姿勢として横臥（横向き寝）で睡眠をとることにより、快適な寝心地を得ることができる。
【００８７】
また、例えば、横長中袋体５２と横長大袋体５３とに充填する気体の量を調整することにより、横長小袋体５１の高さに合わせることにより、枕１を横長小袋体５１の高さで平坦にすることもできる。
【００８８】
すなわち、台エアマット５０を用いて、充填する気体の量を適宜調整することにより、使用者Ｕは、好みの高さとフィット感とを有する枕１とすることができ、快適な寝心地を得ることができる。
【００８９】
使用者Ｕは、体格や好みや使用時の状況などを考慮して、前述のように形成された台板４０と台エアマット５０とを、適宜、様々な組み合わせにより構成し使用することにより、自身の体格や好みに適した固さと高さとフィット感とを有する枕１とすることができ、快適な寝心地を得ることができる。
【００９０】
また、本発明の枕１の他の実施形態として、図９や図１０に示すような、第２実施形態の枕１を構成する枕本体１０がある。
【００９１】
第２実施形態の枕１は、前述の実施形態の枕１と同様に、図４から図６に示すように、使用者Ｕの頭部や頸部のフィット感を調整するために、略長方形の板状の台板４０や、柔軟素材の可撓性を有する樹脂フィルム（例えば、塩化ビニルなど）により形成され、内部に所定量の気体（ここでは、空気）を充填した複数本（小５本、中１本、大１本）横長袋体を有する台エアマット５０が合わせて適宜使用されることによって構成されるものである。なお、第２実施形態でも、枕１の平面視における寸法の一例として、横方向の長さを５００〜６５０ｍｍ、縦方向の長さを３００〜４００ｍｍのものを想定している。
【００９２】
前述の実施形態の枕１と第２実施形態の枕１との違いは、枕本体１０の構造の一部であることから、ここでは、第２実施形態にかかる枕本体１０について図面を用いて詳細に説明する。
【００９３】
図９は、本発明の第２実施形態にかかる枕本体を示す断面視による説明図であり、図１０は、本発明の第２実施形態にかかる枕本体を示す断面視による寸法説明図であり、図１１は、図９のＶ−Ｖ線における断面視による説明図であり、図１２は、図９のＶＩ−ＶＩ線における断面視による説明図である。
【００９４】
第２実施形態にかかる枕本体１０を構成する密封袋体１１は、図９と図１１と図１２に示すように、例えば、柔軟素材の塩化ビニルなどの可撓性を有する樹脂フィルムにより形成され、内部に所定量の気体（ここでは、空気）をバルブ１１ａから充填するように構成されている。
【００９５】
なお、バルブ１１ａからは、密封袋体１１内部に所定量の気体（ここでは、空気）を充填して枕本体１０として使用するが、気体の代わりに水を充填して水枕として使用しても構わない。
【００９６】
また、密封袋体１１の内部に所定量の気体（ここでは、空気）や、水を注入することなく、柔らかめに気体（ここでは、空気）を注入して、そのまま、通常枕として使用しても構わない。
【００９７】
第２実施形態に係る枕１を構成する枕本体１０は、前述の実施形態の枕１と同様に、柔軟素材で形成された平型袋状の密封袋体１１からなり、密封袋体１１の内部は、柔軟素材の多数の略長方形の仕切り体１２にて区画された多数の略四角柱状の小室１３が形成されている。
【００９８】
仕切り体１２は、密封袋体１１と同一の材料、例えば、柔軟素材の塩化ビニルなどの可撓性を有する樹脂フィルムにより形成され、図９から図１２に示すように、密封袋体１１の上側壁１１ｂと下側壁１１ｃとの間に架設した一定高さを有する断面視略長方形状の壁体１２ａにより形成されている。
【００９９】
そこで、第２実施形態に係る枕１を構成する枕本体１０の大きさ（寸法）を、図１０を用いて説明する。密封袋体１１の上側壁１１ｂと下側壁１１ｃとの間に架設した一定高さを有する断面視略長方形状の壁体１２ａは、密封袋体１１の左右部の高さと中央部の高さとにおいて、一定の高さが異なる。例えば、壁体１２ａの左右部の高さＨ１を、Ｈ１＝８０ｍｍとすると、壁体１２ａの中央部の高さＨ２を、Ｈ２＝５０ｍｍとすることにより、図９や図１０に示すように、凹部７０が形成される。
【０１００】
すなわち、第２実施形態に係る枕本体１０は、図１０に示すように、左右の各仕切り体１２を構成する壁体１２ａの高さＨ１が、例えば約８０ｍｍとすると、中央部の凹部７０及びその近傍の仕切り体１２を構成する壁体１２ａの高さＨ２が、例えば約５０ｍｍとすることにより、凹部７０を形成している。
【０１０１】
なお、高さの異なる壁体１２ａは、密封袋体１１の上側壁１１ｂと下側壁１１ｃとに一体的に形成されている。従って、凹部７０は、一体的に滑らかに連通連設される。
【０１０２】
小室１３の幅については、図１０に示すように、凹部７０の底面部における小室１３の幅Ｗ１を、Ｗ１＝５０ｍｍとし、凹部７０の上部における各小室１３の幅Ｗ２を、Ｗ２＝１５０ｍｍとすることにより、図９や図１０に示すように、凹部７０が形成している。
【０１０３】
小室１３は、前述のように、壁体１２ａで区画されることによって密封袋体１１の内部に形成される略四角柱状の空間であり、その空間において、後述する空気ボール２０や粒子体３０が収納されることによって、枕本体１０の形状を保持するものである。
【０１０４】
更に、各小室１３間は、断面視略半円状の連通路１４及び小孔を介して互いに連通可能としており、しかも、各小室１３中には、小室１３幅員よりはやや小さい径を有する空気ボール２０が複数個収納されている。
【０１０５】
また、密封袋体１１の内部全体、すなわち各小室１３や連通路１４や小孔には、径が約１〜１０ｍｍの略球状の粒子体３０が、密封袋体１１の形を保形しうる量で充填され、各粒子体３０は、連通路１４や小孔を介して小室１３間を流通可能に構成されている。
【０１０６】
次に連通路１４について説明する。連通路１４は、密封袋体１１内部に形成された多数の小室１３を各粒子体３０が自在に行き来できるようにするための断面視略半円状の空間である。なお、連通路１４は、前述の仕切り体１２を形成する壁体１２ａの両端を切欠して形成した切欠孔によって構成している。
【０１０７】
なお、連通路１４とは別に、密封袋体１１の内部に充填した気体又は水や粒子体３０がより流動的に移動できるように、空気ボール２０の径よりも小さな径の孔を壁体１２ａに連通路１４として形成しても構わない。
【０１０８】
空気ボール２０は、小室１３の幅員よりはやや小さい径、例えば径が約２０〜３０ｍｍを有する略球状の球体であり、各小室１３に複数個（ここでは、６個ずつ）収納されている。
【０１０９】
粒子体３０は、径が約１〜１０ｍｍの略球状であり、密封袋体１１の内部全体にわたって、密封袋体１１の形を保形しうる量で充填されている。また、各粒子体３０は、連通路１４や小孔を介して小室１３間を自在に流通することができる。
【０１１０】
なお、粒子体３０は、その材質が発泡スチロール等の含気体材料で形成されても構わない。
【０１１１】
第２実施形態に係る枕１において、以下に、その使用方法及び使用形態について具体的に説明する。
【０１１２】
第２実施形態に係る枕本体１０は密封袋体１１に形成されたバルブ１１ａより、水を注入することにより、水枕としても使用できる。バルブ１１ａより空気を注入することにより、空気枕としても使用できる。また、バルブ１１ａより空気を柔らかめに注入することにより通常枕としても使用できる。
【０１１３】
前述の実施形態の枕本体１０を有する枕１によって得られる効果に加えて、第２実施形態に係る枕本体１０を有する枕１を使用することによって、以下のような効果が得られる。
【０１１４】
使用者Ｕは、枕本体１０の凹部７０を楽な姿勢（一般的には上向き寝）で好みの高さに合わせておく。使用者Ｕが凹部７０で上向き寝姿勢から寝返り、右（又は左）方へすると、頭は右横向き（又は左横向き）になると共に、枕本体１０の凹部７０より右（又は左）方へ移動し、右（又は左）横寝姿勢姿勢をとる。第２実施形態に係る枕本体１０は、凹部７０左右部が凹部７０より数ｃｍ高い構造にしたため、寝返りで横寝姿勢になった場合でも、頭部、頸部、肩の高さのバランスが良好に保たれ、睡眠中の上向き、寝返りに対応可能であり、更に枕本体１０の空気及び水枕の特長を備え、快適な寝心地を得ることができる。
【０１１５】
第２実施形態の枕本体１０も前述の実施形態と同様に台板４０や台エアマット５０などと組み合わせて枕１を構成ことにより、個々人の好みの微妙な高さや固さ、就寝時における頭部と頸部との位置関係や枕の変形、密封袋体１１に充填する収容物、すなわち空気ボール２０や粒子体３０について考慮された枕１とすることができる。
【０１１６】
その結果、枕１は、使用に際し、枕本体１０の密封袋体１１の水又は空気量を調整することにより、好みの微妙な高さや固さの調整ができる。よって、使用者Ｕは、頭部だけでなく、頸部のフィット感も良好に保つことができ、快適な寝心地を得ると共に、枕１を容易に取り扱うことができる。
【０１１７】
ここで、本発明の各実施形態にかかる枕１について、以下に、その使用形態について図面を用いて説明する。
【０１１８】
図１３及び図１４は、使用者Ｕによる枕１の使用形態に関する説明図である。なお、図中のθは、使用者Ｕの枕１使用時の角度を示す。
【０１１９】
図１３（ａ）に示すように、使用者Ｕは、枕本体１０の密封袋体１１に空気や水を注入することにより、枕本体１０の固さや高さを調節することにより、枕本体１０を使用者Ｕ自身の好みの固さや高さにして枕１を使用する。なお、枕１の高さは、使用者Ｕの好みにもよるが、理想は、角度θ＝１５度前後である。
【０１２０】
図１３（ｂ）に示すように、使用者Ｕは、枕１の枕本体１０自体が、敷布団の柔軟性により、沈みやすいので、台板４０を用いることで枕１の高さを調整する。このことから、枕１の高さがやや高くなる。
【０１２１】
図１３（ｃ）に示すように、使用者Ｕは、台エアマット５０を枕本体１０と台板４０との間に設置することによって、枕１の高さを調整する。このとき、使用者Ｕは、台エアマット５０の横長中袋体５２を使用者Ｕ自身の首側に向けて使用することにより、枕本体１０を好みの固さや高さに調整する。このことから、頭部から頸部、肩（首の付け根）にかけてのフィット感や、使用中における頭部の安定感も得られる。
【０１２２】
図１４（ａ）に示すように、使用者Ｕは、台エアマット５０を枕本体１０と台板４０との間に設置することによって、枕１の高さを調整する。このとき、使用者Ｕは、台エアマット５０の横長大袋体５３を使用者Ｕ自身の首側に向けて使用することにより、枕本体１０を好みの固さや高さに調整する。このことから、頭部から頸部、肩（首の付け根）にかけてのフィット感や、使用中における頭部の安定感も得られる上に、横長大袋体５３が使用者Ｕ自身の首側にあることから、図１３（ｃ）に示した使用形態よりも高さの高い枕１が得られる。
【０１２３】
図１４（ｂ）に示すように、高めの枕１を好む使用者Ｕは、台エアマット５０を枕本体１０と台板４０との間に設置すると共に、台エアマット５０の横長小袋体５１にも空気を注入することにより、枕本体１０を好みの固さや高さに調整する。このとき、使用者Ｕは、台エアマット５０の横長中袋体５２を使用者Ｕ自身の首側に向けて使用することにより、枕本体１０を好みの固さや高さに調整する。このことから、頭部から頸部、肩（首の付け根）にかけてのフィット感や、使用中における頭部の安定感も得られる上に、図１３（ｃ）に示した使用形態よりも高さの高い枕１が得られる。
【０１２４】
図１４（ｃ）に示すように、高めの枕１を好む使用者Ｕは、台エアマット５０を枕本体１０と台板４０との間に設置すると共に、台エアマット５０の横長小袋体５１にも空気を注入することにより、枕本体１０を好みの固さや高さに調整する。このとき、使用者Ｕは、台エアマット５０の横長大袋体５３を使用者Ｕ自身の首側に向けて使用することにより、枕本体１０を好みの固さや高さに調整する。このことから、頭部から頸部、肩（首の付け根）にかけてのフィット感や、使用中における頭部の安定感も得られる上に、図１４（ａ）に示した使用形態よりも高さの高い枕１が得られる。よって、通常の仰向け寝（上向き寝）だけでなく、横臥（横向き寝）に対応できる。
【０１２５】
以上、本発明の好ましい実施形態について説明したが、本発明は係る特定の実施形態に限定されるものではなく、特許請求の範囲に記載された本発明の要旨の範囲内において、種々の変形・変更が可能である。
【図面の簡単な説明】
【０１２６】
【図１】本発明の一実施形態にかかる枕本体を示す平面視による説明図。
【図２】図１のＩ−Ｉ線における断面視による説明図。
【図３】図２のＩＩ−ＩＩ線における断面視による説明図。
【図４】本発明の一実施形態にかかる枕の部分断面を示す平面視による説明図。
【図５】図４のＩＩＩ−ＩＩＩ線における断面視による説明図。
【図６】本発明の一実施形態にかかる枕を構成する台エアマットを示す説明図。
【図７】本発明の一実施形態にかかる水枕の断面視による説明図。
【図８】図７のＩＶ−ＩＶ線における断面視による説明図。
【図９】本発明の第２実施形態にかかる枕本体を示す断面視による説明図。
【図１０】本発明の第２実施形態にかかる枕本体を示す断面視による寸法説明図
【図１１】図９のＶ−Ｖ線における断面視による説明図。
【図１２】図９のＶＩ−ＶＩ線における断面視による説明図。
【図１３】使用者による枕の使用形態に関する説明図。
【図１４】使用者による枕の使用形態に関する説明図。
【符号の説明】
【０１２７】
１      枕
１０    枕本体
１１    密封袋体
１１ａ  バルブ
１１ｂ  上側壁
１１ｃ  下側壁
１２    仕切り体
１３    小室
１４    連通路
２０    空気ボール
３０    粒子体
４０    台板
５０    台エアマット
５１    横長小袋体
５１ａ  小気体バルブ
５１ｂ  気体連通路
５２    横長中袋体
５２ａ  中気体バルブ
５３    横長大袋体
５３ａ  大気体バルブ
６０    枕カバー
７０    凹部
【図１】
2010119415.tif 000004
【図２】
2010119415.tif 000005
【図３】
2010119415.tif 000006
【図４】
2010119415.tif 000007
【図５】
2010119415.tif 000008
【図６】
2010119415.tif 000009
【図７】
2010119415.tif 000010
【図８】
2010119415.tif 000011
【図９】
2010119415.tif 000012
【図１０】
2010119415.tif 000013
【図１１】
2010119415.tif 000014
【図１２】
2010119415.tif 000015
【図１３】
2010119415.tif 000016
【図１４】
2010119415.tif 000017
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
枕本体を構成する柔軟素材の密封袋体の内部を、柔軟素材の多数の仕切り体にて区画して多数の小室を形成すると共に、
各小室間は、仕切り体の両端に形成した連通路を介して互いに連通可能とし、しかも、各小室中には、小室幅員よりは小さい径を有する径が約２０〜３０ｍｍの空気ボール複数個収納すると共に、
密封袋体の内部全体に径が約１〜１０ｍｍの粒子体を密封袋体の形を保形しうる量で充填し、各粒子体は、連通路を介して小室間を流通可能に構成してなる枕。
【請求項２】
密封袋体の内部には、水又は空気を注入及び排水可能として水枕、空気枕及び通常枕としても使用可能に構成したことを特徴とする請求項１に記載の枕。
【請求項３】
粒子体は、発泡スチロールで形成されていることを特徴とする請求項１又は２に記載の枕。
【請求項４】
仕切り体は、密封袋体の上側壁と下側壁との間に架設した一定高さの壁体にて構成したことを特徴とする請求項１又は２又は３に記載の枕。
【手続補正２】
【補正対象書類名】明細書
【補正対象項目名】０００８
【補正方法】変更
【補正の内容】
【０００８】
そこで、請求項１に係る本発明では、枕本体を構成する柔軟素材の密封袋体の内部を、柔軟素材の多数の仕切り体にて区画して多数の小室を形成すると共に、各小室間は、仕切り体の両端に形成した連通路を介して互いに連通可能とし、しかも、各小室中には、小室幅員よりは小さい径を有する径が約２０〜３０ｍｍの空気ボール複数個収納すると共に、密封袋体の内部全体に径が約１〜１０ｍｍの粒子体を密封袋体の形を保形しうる量で充填し、各粒子体は、連通路を介して小室間を流通可能に構成してなることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項１記載の本発明によれば、枕本体を構成する柔軟素材の密封袋体の内部を、柔軟素材の多数の仕切り体にて区画して多数の小室を形成すると共に、各小室間は、仕切り体の両端に形成した連通路を介して互いに連通可能とし、しかも、各小室中には、小室幅員よりは小さい径を有する径が約２０〜３０ｍｍの空気ボール複数個収納すると共に、密封袋体の内部全体に径が約１〜１０ｍｍの粒子体を密封袋体の形を保形しうる量で充填し、各粒子体は、連通路を介して小室間を流通可能に構成したので、使用時に、頭部だけでなく、頸部のフィット感も良好に保つことができるので使用者に快適な寝心地を与えると共に、収容された空気ボールや粒子体が軽量であることから、使用者は、枕を容易に取り扱うことができる。また、連通路は、仕切り体の両端を切欠して形成したことから、収容された粒子体が流動しやすくなり、その結果、頭部のフィット感がより向上するだけでなく、適宜空気ボールを支持することができ、枕自体の形状を保持することができる。
【手続補正５】
【補正対象書類名】明細書
【補正対象項目名】００１７
【補正方法】削除
【補正の内容】